(57)【要約】      （修正有）【課題】弁当箱等の箱容器を手軽に包装して携帯することができる携帯バッグ構成シートを提供する。【解決手段】内外両側面に防水性を備えた矩形シート１の第１対角線と第２対角線に関して、第１対角線Ｌ１の両側に平行に延びる一対の第１折曲線４ａ、４ｂと、第２対角線Ｌ２の両側に平行に延びる一対の第２折曲線５ａ、５ｂにより囲まれた中央部により底部６を形成し、第１折曲線の両側に位置する第１包囲片７ａ、７ｂと、第２折曲線の両側に位置する第２包囲片８ａ、８ｂを備え、前記底部に載置した直方体形状の箱容器を包み込むように、第１包囲片を折返し、その上に重なるように第２包囲片を折返したとき、第２包囲片の先端部が相互に対向する舌片部１２ａ、１２ｂをオーバラップさせた状態で着脱自在なファスナ１３ｂで固着されるように構成されている。【選択図】図１
0003222290.tif 000002
【実用新案登録請求の範囲】
【請求項１】
折畳自在であり、展開状態における下面により外側面を形成し上面により内側面を形成すると共に、内外両側面に防水性を備えた矩形シートにより構成され、
前記矩形シート(1)は、交差する一対の第１対角線と第２対角線に関して、第１対角線(L1)の両側に平行に延びる一対の第１折曲線(4a,4b)と、第２対角線(L2)の両側に平行に延びる一対の第２折曲線(5a,5b)に沿って折曲自在であり、
前記第１折曲線と第２折曲線により囲まれた中央部により底部(6)を形成すると共に、前記第１折曲線の両側に位置して三角形状とされる一対の第１包囲片(7a,7b)と、前記第２折曲線の両側に位置して三角形状とされる一対の第２包囲片(8a,8b)を備えており、
前記底部の内側面に直方体形状の箱容器(B)を載置した状態で、前記第１包囲片(7a,7b)を底部から箱容器の上側に向けて折返し、前記第２包囲片(8a,8b)を底部から箱容器の上側で前記折返された第１包囲片の上に重なるように折返したとき、該第２包囲片の先端部が相互に対向してオーバラップされる舌片部(12a,12b)を備えると共に、両舌片部を着脱自在に固着するファスナ(13a,13b)が設けられており、
更に、前記第２折曲線(5a,5b)の近傍で底部(6)の外側面に固着された固着部(15)から前記第２包囲片(8a,8b)の外側面に沿って延びる一対の提げ手(14a,14b)が設けられて成ることを特徴とする携帯バッグ構成シート。
【請求項２】
前記矩形シート(1)は、重ね合わせられた外側シート(1A)と内側シート(1B)の周縁を逢着した二重シートにより構成されており、
前記外側シートは、樹脂により防水処理が施された編織シートにより形成され、前記内側シートは、アルミ蒸着により防水処理と断熱処理が施された遮熱シートにより形成されて成ることを特徴とする請求項１に記載の携帯バッグ構成シート。
【請求項３】
前記矩形シート(1)は、一対の第１包囲片のうち少なくとも一方の内側面に重ねて配置されたネットシート(9)により、底部に向けて開口するポケット(10)を形成して成ることを特徴とする請求項１又は２に記載の携帯バッグ構成シート。
【考案の詳細な説明】
【技術分野】
【０００１】
本考案は、弁当箱等の箱容器を手軽に包装して携帯することができる携帯バッグ構成シートに関する。
【背景技術】
【０００２】
従来、弁当箱を包装して携帯する際、風呂敷が使用されている。また、専用の巾着式バッグが提供されている。
【先行技術文献】
【特許文献】
【０００３】
【特許文献１】実用新案登録第３１８３３１２号公報
【特許文献２】実用新案登録第３２１４９９４号公報
【考案の概要】
【考案が解決しようとする課題】
【０００４】
風呂敷は、布製の矩形シートから構成され、包装するための弁当箱の大きさが大小異なる場合でも、その大きさに適合して包装することができる利点がある。しかしながら、矩形シートにより弁当箱を包み込んだ状態で、矩形シートの対角線上に位置する三角形状の角部を相互に対向させた状態で結びつけることにより固着する必要があるため、包み込み作業や、展開作業が煩雑である。
【０００５】
専用の携帯用バッグとしての巾着式バッグは、所定容量とされているため弁当箱の大きさに適応してフィットし難く、しかも、バッグの開口部に沿って設けられた締め紐を締めつける構成であるため、開口部を閉じる作業は容易であるが、開口部を開くときの作業が容易でない。
【０００６】
本考案は、ピクニックシートのようにユーザが着座するとき尻の下に敷くことができる着座シートとして好適に使用することができ、しかも、弁当箱等の箱容器を包み込むための作業と展開させるための作業を簡単容易に行うことができ、更に、弁当箱を包み込んだ状態で携帯バッグとして持ち運ぶ間、保温性・保冷性に優れている携帯バッグ構成シートを提供するものである。
【課題を解決するための手段】
【０００７】
そこで、本考案が手段として構成したところは、折畳自在であり、展開状態における下面により外側面を形成し上面により内側面を形成すると共に、内外両側面に防水性を備えた矩形シートにより構成され、前記矩形シートは、交差する一対の第１対角線と第２対角線に関して、第１対角線の両側に平行に延びる一対の第１折曲線と、第２対角線の両側に平行に延びる一対の第２折曲線に沿って折曲自在であり、前記第１折曲線と第２折曲線により囲まれた中央部により底部を形成すると共に、前記第１折曲線の両側に位置して三角形状とされる一対の第１包囲片と、前記第２折曲線の両側に位置して三角形状とされる一対の第２包囲片を備えており、前記底部の内側面に直方体形状の箱容器を載置した状態で、前記第１包囲片を底部から箱容器の上側に向けて折返し、前記第２包囲片を底部から箱容器の上側で前記折返された第１包囲片の上に重なるように折返したとき、該第２包囲片の先端部が相互に対向してオーバラップされる舌片部を備えると共に、両舌片部を着脱自在に固着するファスナが設けられており、更に、前記第２折曲線の近傍で底部の外側面に固着された固着部から前記第２包囲片の外側面に沿って延びる一対の提げ手が設けられて成る点にある。
【０００８】
前記矩形シートは、重ね合わせられた外側シートと内側シートの周縁を逢着した二重シートにより構成することが好ましく、その際、前記外側シートは、樹脂により防水処理が施された編織シートにより形成され、前記内側シートは、アルミ蒸着により防水処理と断熱処理が施された遮熱シートにより形成される。
【０００９】
前記矩形シートは、一対の第１包囲片のうち少なくとも一方の内側面に重ねて配置されたネットシートにより、底部に向けて開口するポケットを形成することが好ましい。
【考案の効果】
【００１０】
本考案のシートによれば、展開状態とすることにより、ユーザが着座するとき尻の下に敷く着座シートとして提供することができ、折り重ね状態とすることにより、弁当箱等の箱容器を包み込んで持ち運ぶ携帯バッグとして提供することができるものであり、多目的性に優れた効果がある。
【図面の簡単な説明】
【００１１】
【図１】本考案の第１実施形態に係る携帯バッグ構成シート示す平面図である。
【図２】携帯バッグ構成シートの内側面を示す斜視図である。
【図３】携帯バッグ構成シートの外側面を示す底面図である。
【図４】携帯バッグ構成シートの外側面を示す斜視図である。
【図５】図１のＡ−Ａ線断面図である。
【図６】携帯バッグ構成シートの底部に箱容器を載置しようとしたときの状態を示す斜視図である。
【図７】携帯バッグ構成シートの底部に箱容器を載置した状態で第１包装片を底部から箱容器の上側に向けて折返した状態を示す斜視図である。
【図８】図７に示される状態から、一方の第２包装体を底部から箱容器の上側で前記折返された第１包装片の上に重なるように折り返した状態を示す斜視図である。
【図９】図８に示される状態から、他方の第２包装体を底部から箱容器の上側に向けて折返し、相互に対向してオーバラップさせられた舌片部をファスナにより固着した状態を示す斜視図である。
【図１０】シートにより箱容器を包み込むと共に、一対の提げ手を結束片により結束し、持ち運びできるように構成された携帯バッグを示す斜視図である。
【考案を実施するための形態】
【００１２】
以下図面に基づいて本考案の好ましい実施形態を詳述する。
【００１３】
（技術的構成）
図示のように、本考案に係る携帯バッグ構成シートは、表裏両面に防水性を備えた折畳自在な矩形シート１により構成されている。以下、該矩形シート１を展開した状態における下面を外側面、上面を内側面として説明する。
【００１４】
前記矩形シート１は、図５に示すように、重ね合わせられた外側シート１Ａと内側シート１Ｂの周縁をテープ生地２により被包した状態で、縫糸３により逢着した二重シートにより構成されている。
【００１５】
外側シート１Ａは、樹脂をコーティングすることにより又は樹脂を含浸させることにより防水処理が施された織物又は編物から成る編織シートにより形成されている。
【００１６】
内側シート１Ｂは、アルミ蒸着により防水処理と断熱処理が施された遮熱シートにより形成されている。
【００１７】
図１及び図２に示すように、矩形シート１は、交差する一対の第１対角線Ｌ１と第２対角線Ｌ２に関して、第１対角線Ｌ１の両側に平行に延びる一対の第１折曲線４ａ、４ｂと、第２対角線Ｌ２の両側に平行に延びる一対の第２折曲線５ａ、５ｂに沿って折曲自在であり、第１折曲線４ａ、４ｂと第２折曲線５ａ、５ｂにより囲まれた矩形シート１の中央部により底部６を形成している。
【００１８】
これにより、底部６の周囲には、第１折曲線４ａ、４ｂの両側に位置して三角形状とされる一対の第１包囲片７ａ、７ｂと、第２折曲線５ａ、５ｂの両側に位置して三角形状とされる一対の第２包囲片８ａ、８ｂが形成されている。
【００１９】
一対の第１包囲片７ａ、７ｂのうち少なくとも一方、図実施形態の場合、第１包囲片７ａの内側面にネットシート９が重ねて配置されており、これにより、図５に示すように、底部６に向けて開口するポケット１０が形成されている。
【００２０】
ネットシート９は、第１包囲片７ａとほぼ同形同大の三角形状に裁断されたネット素材により形成され、外側シート１Ａ及び内側シート１Ｂの縁部と共にテープ生地２により被包された状態で逢着されている。
【００２１】
図示実施形態の場合、上記の第１折曲線４ａ、４ｂ及び第２折曲線５ａ、５ｂは、矩形シート１に加工されたものではなく、仮想の折曲線とされている。そこで、図１及び図２に示すように、底部６の位置を示すように、矩形線を表す縫糸１１が設けられ、図５に示すように、該縫糸１１により外側シート１Ａと内側シート１Ｂの中央部を逢着している。
【００２２】
上述の三角形状とされた一対の第２包囲片８ａ、８ｂは、それぞれ先端近傍部により舌片部１２ａ、１２ｂを形成しており、一方の舌片部１２ａの外側面と、他方の舌片部１２ｂの内側面を、相互に着脱自在に固着可能とする第１ファスナ１３ａ及び第２ファスナ１３ｂから成る面ファスナが設けられている。
【００２３】
第１ファスナ１３ａは、図３及び図４に示すように、舌片部１２ａから第２折曲線５ａの近傍部に至り第２包囲片８ａの外側面に長く延びる帯状に形成されている。
【００２４】
これに対して、第２ファスナ１３ｂは、図１及び図２に示すように、舌片部１２ｂの内側面に設けられた断片であれば足りる。
【００２５】
更に、図３及び図４に示すように、第２包囲片８ａ、８ｂの外側面に臨む一対の提げ手１４ａ、１４ｂが設けられている。提げ手１４ａ、１４ｂは、それぞれテープ状の生地を門形に折曲することにより形成され、両端部を第２折曲線５ａ、５ｂの近傍で底部６に逢着することにより固着部１５を形成し、該固着部１５から第２包囲片８ａ、８ｂの外側面に沿って延びるように構成されている。
【００２６】
一対の提げ手１４ａ、１４ｂのグリップ部は、一方のグリップ部に結束片１６が取付けられている。従って、一対のグリップは、相互に重ね合わせた状態で、結束片１６を巻回させることにより、結束が可能である。
【００２７】
（技術的作用）
矩形シート１は、図１ないし図４に示すように展開した状態において、表裏面が防水性ないし防湿性に優れているので、野外の芝生の上に敷設したり、屋外のベンチ等に敷設したりすることにより、ユーザが着座するとき尻の下に敷く着座シートとして使用することができる。
【００２８】
そして、弁当箱等の箱容器を携帯するためのバッグとして使用するときは、以下の手順で箱容器を包み込めば良い。
【００２９】
図６に示すように、矩形シート１を展開した状態で、内側シート１Ｂを上向きとして、弁当箱Ｂを底部６に載置する。この際、底部６は、矩形線を形成する縫糸１１によりその位置が表示されているので、容易に所定位置に載置することができる。尚、ネットシート９により形成されたポケット９には、フォークやスプーン等のカトラリーや、箸、ティッシュペーパ等を収容することができる。
【００３０】
底部６に弁当箱Ｂを置いた状態で、図７に示すように、第１折曲線４ａ、４ｂに沿って折曲することにより、第１包囲片７ａ、７ｂを底部６から弁当箱Ｂを包み込むようにして該弁当箱Ｂの上側に向けて折返す。
【００３１】
引き続き、図８に示すように、一対の第２包囲片８ａ、８ｂのうち、第１ファスナ１３ａが設けられている第２包囲片８ａを第２折曲線５ａに沿って折曲することにより、該第２包囲片８ａを底部６から前記折返された第１包囲片７ａ、７ｂの上に重なるように折返し、帯状の第１ファスナ１３ａを上向きに配置させる。
【００３２】
その後、図９に示すように、残りの第２包囲片８ｂのうち、つまり、第２ファスナ１３ｂが設けられている第２包囲片８ｂを第２折曲線５ｂに沿って折曲することにより、該第２包囲片８ｂの舌片部１２ｂを、先に折返された第２包囲片８ａの舌片部１２ａの上にオーバラップさせ、第２ファスナ１３ｂを第１ファスナ１３ａに固着する。
【００３３】
これにより、矩形シート１は、展開状態から弁当箱Ｂを好適に包み込むように折り重ねられ、携帯バッグ１７を構成する。この際、弁当箱Ｂを包み込む内側シート１Ｂは、アルミ蒸着により断熱処理が施された遮熱シートにより形成されているので、弁当として提供される食品の保温性又は保冷性に寄与することができる。
【００３４】
この状態で、提げ手１４ａ  １４ｂが底部６に固着された固着部１５から第２包囲片８ａ、８ｂを越えて上方に延びるので、提げ手１４ａ  １４ｂを手に持つことにより、簡便に持ち運ぶことができる。この際、吊持された弁当箱Ｂの重量は、底部６に臨む固着部１５を介して提げ手１４ａ  １４ｂに支持されるので、折り重ねられた第１包囲片７ａ、７ｂや第２包囲片８ａ、８ｂが解けるおそれはない。
【００３５】
提げ手１４ａ  １４ｂの一方には結束片１６が取付けられているので、図１０に示すように、該結束片１６により提げ手１４ａ  １４ｂのグリップ部を結束することができ、この場合、弁当箱Ｂを吊持したとき、弁当箱Ｂを包み込んだ第２包囲片８ａ、８ｂが外側から提げ手１４ａ  １４ｂにより押さえつけられ、包み込み状態を保持させられる利点がある。
【符号の説明】
【００３６】
１  矩形シート
１Ａ  外側シート
１Ｂ  内側シート
２  テープ生地
３  縫糸
４ａ、４ｂ  第１折曲線
５ａ、５ｂ  第２折曲線
６  底部
７ａ、７ｂ  第１包囲片
８ａ、８ｂ  第２包囲片
９  ネットシート
１０  ポケット
１１  縫糸
１２ａ、１２ｂ  舌片部
１３ａ  第１ファスナ
１３ｂ  第２ファスナ
１４ａ  １４ｂ  提げ手
１５  固着部
１６  結束片
１７  携帯バッグ
【図１】
0003222290.tif 000003
【図２】
0003222290.tif 000004
【図３】
0003222290.tif 000005
【図４】
0003222290.tif 000006
【図５】
0003222290.tif 000007
【図６】
0003222290.tif 000008
【図７】
0003222290.tif 000009
【図８】
0003222290.tif 000010
【図９】
0003222290.tif 000011
【図１０】
0003222290.tif 000012